【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
車体のドアのアウターパネルとインナーパネルとの間に、これらアウターパネルとインナーパネルのうちの一方のパネルに固着された側板部と該側板部から他方のパネル側に延びる基板部とを有するリテーナーパネルが配置されることでガラスランチャンネル取付用の凹溝が形成されて窓開口部の周縁に配置された窓枠と、
前記窓枠の凹溝に沿って取り付けられ、ポリマー材料の押出成形により形成されて前記窓枠の上辺枠と縦辺枠に装着される長尺な上辺部ガラスランチャンネル及び縦辺部ガラスランチャンネルと、ポリマー材料の射出成形により形成されて前記上辺枠に装着される上辺部ガラスランチャンネルと前記縦辺枠に装着される縦辺部ガラスランチャンネルの端末同士を略Ｌ字形に交差させて接続すると共に前記窓枠のコーナー枠に装着されるコーナー部ガラスランチャンネルとを有し、前記上辺部ガラスランチャンネルと前記縦辺部ガラスランチャンネル及び前記コーナー部ガラスランチャンネルには窓ガラスの端面と対向する基底部と該基底部の幅方向両端からそれぞれ立ち上がる車内側及び車外側の側壁部とが設けられたガラスランチャンネル組立体とを備えたガラスランチャンネル組立体の取付構造であって、
前記窓枠のリテーナーパネルは、前記側板部が前記窓枠の上辺枠と縦辺枠に設けられてコーナー枠においては省略され、前記基板部が前記窓枠の上辺枠と縦辺枠に設けられると共に該上辺枠と該縦辺枠からそれぞれコーナー枠まで延長されて基板延長部が形成され、  前記コーナー部ガラスランチャンネルを窓開口部の中心側から外周方向に向かってコーナー枠に押し込んで取り付けるときに前記ガラスランチャンネル組立体のコーナー部ガラスランチャンネルが前記窓枠の上辺枠から延長された基板延長部及び前記窓枠の縦辺枠から延長された基板延長部に当接することで前記コーナー部ガラスランチャンネルが前記基板延長部を越えて外周側に挿入されるのを防止するように構成されていることを特徴とするガラスランチャンネル組立体の取付構造。
【請求項２】
前記リテーナーパネルの基板延長部には、前記ガラスランチャンネル組立体のコーナー部ガラスランチャンネル側に突出する切り起こしが形成され、前記コーナー部ガラスランチャンネルには、前記切り起こしが挿入される凹部が形成され、前記ガラスランチャンネル組立体の取付状態において前記切り起こしが前記凹部に嵌まり込んでいるように構成されていることを特徴とする請求項１に記載のガラスランチャンネル組立体の取付構造。
【請求項３】
前記凹部は、前記窓枠のコーナー枠の中央側に位置する内壁面が前記コーナー部ガラスランチャンネルの挿入方向と平行な方向となるよう前記凹部の底面と鈍角をなすように傾斜していて、前記コーナー部ガラスランチャンネルを前記コーナー枠に取り付けるときに前記切り起こしが前記内壁面と干渉しないように構成されていることを特徴とする請求項２に記載のガラスランチャンネル組立体の取付構造。
【請求項４】
前記リテーナーパネルの基板部には、前記ガラスランチャンネル組立体の上辺部ガラスランチャンネル側と縦辺部ガラスランチャンネル側のうち少なくとも上辺部ガラスランチャンネル側に突出する切り起こしが形成され、ガラスランチャンネルの取付状態で前記切り起こしが少なくとも前記上辺部ガラスランチャンネルに食い込むように構成されていることを特徴とする請求項１乃至３のいずれかに記載のガラスランチャンネル組立体の取付構造。
【請求項５】
前記切り起こしの突出高さ寸法が前記上辺部ガラスランチャンネル及び前記縦辺部ガラスランチャンネルの基底部の厚さ寸法よりも小さい寸法に設定されていることを特徴とする請求項４に記載のガラスランチャンネル組立体の取付構造。
【請求項６】
前記リテーナーパネルの基板部のうちの少なくとも基板延長部には、前記ガラスランチャンネル組立体のコーナー部ガラスランチャンネルと対向する側と反対側に突出する補強ビードが該基板延長部の長手方向に延びて形成されていることを特徴とする請求項１乃至５のいずれかに記載のガラスランチャンネル組立体の取付構造。
【請求項７】
車体のドアのアウターパネルとインナーパネルとの間に、これらアウターパネルとインナーパネルのうちの一方のパネルに固着された側板部と該側板部から他方のパネル側に延びる基板部とを有するリテーナーパネルが配置されることでガラスランチャンネル取付用の凹溝が形成されて窓開口部の周縁に配置され、該凹溝に沿ってガラスランチャンネル組立体が取り付け可能な窓枠であって、
前記ガラスランチャンネル組立体は、ポリマー材料の押出成形により形成されて前記窓枠の上辺枠と縦辺枠に装着される長尺な上辺部ガラスランチャンネル及び縦辺部ガラスランチャンネルと、ポリマー材料の射出成形により形成されて前記上辺枠に装着される上辺部ガラスランチャンネルと前記縦辺枠に装着される縦辺部ガラスランチャンネルの端末同士を略Ｌ字形に交差させて接続すると共に前記窓枠のコーナー枠に装着されるコーナー部ガラスランチャンネルとを有し、前記上辺部ガラスランチャンネルと前記縦辺部ガラスランチャンネル及び前記コーナー部ガラスランチャンネルには窓ガラスの端面と対向する基底部と該基底部の幅方向両端からそれぞれ立ち上がる車内側及び車外側の側壁部とが設けられ、
前記窓枠のリテーナーパネルは、前記側板部が前記窓枠の上辺枠と縦辺枠に設けられてコーナー枠においては省略され、前記基板部が前記窓枠の上辺枠と縦辺枠に設けられると共に該上辺枠と該縦辺枠からそれぞれコーナー枠まで延長されて基板延長部が形成され、  前記コーナー部ガラスランチャンネルを窓開口部の中心側から外周方向に向かってコーナー枠に押し込んで取り付けるときに前記ガラスランチャンネル組立体のコーナー部ガラスランチャンネルが前記窓枠の上辺枠から延長された基板延長部及び前記窓枠の縦辺枠から延長された基板延長部に当接することで前記コーナー部ガラスランチャンネルが前記基板延長部を越えて外周側に挿入されるのを防止するように構成されていることを特徴とする窓枠。
【手続補正２】
【補正対象書類名】明細書
【補正対象項目名】００１０
【補正方法】変更
【補正の内容】
【００１０】
上記目的を達成するために、請求項１，７に係る発明は、車体のドアのアウターパネルとインナーパネルとの間に、これらアウターパネルとインナーパネルのうちの一方のパネルに固着された側板部と該側板部から他方のパネル側に延びる基板部とを有するリテーナーパネルが配置されることでガラスランチャンネル取付用の凹溝が形成されて窓開口部の周縁に配置された窓枠と、この窓枠の凹溝に沿って取り付けられ、ポリマー材料の押出成形により形成されて窓枠の上辺枠と縦辺枠に装着される長尺な上辺部ガラスランチャンネル及び縦辺部ガラスランチャンネルと、ポリマー材料の射出成形により形成されて上辺枠に装着される上辺部ガラスランチャンネルと縦辺枠に装着される縦辺部ガラスランチャンネルの端末同士を略Ｌ字形に交差させて接続すると共に窓枠のコーナー枠に装着されるコーナー部ガラスランチャンネルとを有し、上辺部ガラスランチャンネルと縦辺部ガラスランチャンネル及びコーナー部ガラスランチャンネルには窓ガラスの端面と対向する基底部と該基底部の幅方向両端からそれぞれ立ち上がる車内側及び車外側の側壁部とが設けられたガラスランチャンネル組立体とを備えたガラスランチャンネル組立体の取付構造又はその取付構造に用いる窓枠であって、窓枠のリテーナーパネルは、側板部が前記窓枠の上辺枠と縦辺枠に設けられてコーナー枠においては省略され、基板部が窓枠の上辺枠と縦辺枠に設けられると共に該上辺枠と該縦辺枠からそれぞれコーナー枠まで延長されて基板延長部が形成され、コーナー部ガラスランチャンネルを窓開口部の中心側から外周方向に向かってコーナー枠に押し込んで取り付けるときにガラスランチャンネル組立体のコーナー部ガラスランチャンネルが窓枠の上辺枠から延長された基板延長部及び窓枠の縦辺枠から延長された基板延長部に当接することでコーナー部ガラスランチャンネルが基板延長部を越えて外周側に挿入されるのを防止するように構成したものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、請求項２のように、リテーナーパネルの基板延長部には、ガラスランチャンネル組立体のコーナー部ガラスランチャンネル側に突出する切り起こしを形成し、コーナー部ガラスランチャンネルには、切り起こしが挿入される凹部を形成し、ガラスランチャンネル組立体の取付状態において切り起こしが凹部に嵌まり込んでいるように構成するようにしても良い。このようにすれば、リテーナーパネルの基板延長部に形成した切り起こしによってもガラスランチャンネル組立体のコーナー部ガラスランチャンネルの位置ずれを防止することができ、ガラスランチャンネル組立体の位置ずれ防止効果を高めることができる。
【手続補正５】
【補正対象書類名】明細書
【補正対象項目名】００１４
【補正方法】変更
【補正の内容】
【００１４】
この場合、請求項３のように、凹部は、窓枠のコーナー枠の中央側に位置する内壁面がコーナー部ガラスランチャンネルの挿入方向と平行な方向となるよう凹部の底面と鈍角をなすように傾斜していて、コーナー部ガラスランチャンネルをコーナー枠に取り付けるときに切り起こしが内壁面と干渉しないように構成すると良い。このようにすれば、窓枠のコーナー枠にガラスランチャンネル組立体のコーナー部ガラスランチャンネルを挿入して取り付ける際に、リテーナーパネルの基板延長部に形成した切り起こしが、コーナー部ガラスランチャンネルに形成した凹部の内壁面に干渉することを防止でき、ガラスランチャンネル組立体の取付作業性を低下させない。
【手続補正６】
【補正対象書類名】明細書
【補正対象項目名】００１５
【補正方法】変更
【補正の内容】
【００１５】
更に、請求項４のように、リテーナーパネルの基板部には、ガラスランチャンネル組立体の上辺部ガラスランチャンネル側と縦辺部ガラスランチャンネル側のうち少なくとも上辺部ガラスランチャンネル側に突出する切り起こしを形成し、ガラスランチャンネルの取付状態で切り起こしが少なくとも上辺部ガラスランチャンネルに、好ましくは前記縦辺部ガラスランチャンネル側にも食い込むように構成するようにしても良い。このようにすれば、リテーナーパネルの基板部に形成した切り起こしによってガラスランチャンネル組立体の上辺部及び縦辺部ガラスランチャンネルの位置ずれを防止することができ、ガラスランチャンネル組立体の位置ずれ防止効果を更に高めることができる。
【手続補正７】
【補正対象書類名】明細書
【補正対象項目名】００１６
【補正方法】変更
【補正の内容】
【００１６】
この場合、請求項５のように、切り起こしの突出高さ寸法を上辺部ガラスランチャンネル及び縦辺部ガラスランチャンネルの基底部の厚さ寸法よりも小さい寸法に設定すると良い。このようにすれば、リテーナーパネルの基板部に形成した切り起こしが、上辺部及び縦辺部ガラスランチャンネルの基底部を突き破って内周側に突出することを防止でき、切り起こしが窓ガラスと接触することを防止できる。
更に、請求項６のように、リテーナーパネルの基板部のうちの少なくとも基板延長部には、ガラスランチャンネル組立体のコーナー部ガラスランチャンネルと対向する側と反対側に突出する補強ビードを該基板延長部の長手方向に延びるように形成しても良い。このようにすれば、補強ビードによって基板延長部の強度（特に曲げ強度）を高くすることができる。しかも、ガラスランチャンネル組立体のコーナー部ガラスランチャンネルと反対側に突出するように補強ビードを形成するため、補強ビードがガラスランチャンネル組立体と干渉せず、ガラスランチャンネル組立体の窓枠への取付作業性を低下させることがない。